(57)【要約】【課題】容易に底の深さを調整できるカップホルダを提供する。【解決手段】カップホルダ１は、第１床部材１１を有するケース２と、第２床部材３，４と、付勢手段８とを備える。第２床部材は、基端側がケース２の側壁１２に回転可能に支持されており、略水平な位置（第１位置）とそこから下方に回転して略鉛直になる位置（第２位置）との間を回転する。第２床部材３，４は、付勢手段８によって、第１位置に向けて付勢されている。第２床部材３，４は、上方から荷重が加わると、その荷重が所定の大きさ以下の荷重であれば第１位置に維持されて、カップホルダ１の浅い底を形成する。ペットボトルの底を第２床部材３，４に押し付けるように力を加えた場合のように、その荷重が所定の大きさを超えると、第２床部材３，４は、第２位置に向けて回転してカップホルダ１の深い底を形成する。【選択図】図１
2015037921.tif 000002
【特許請求の範囲】
【請求項１】
飲料容器を保持するためのカップホルダであって、
上面に開口部が形成され、前記飲料容器の受容室を画定し、該受容室の下端に延在する第１床部材及び側壁を備えるケースと、
前記ケース内において、その基端側が前記側壁に回転可能に支持され、その遊端が回転軸の側方に位置する第１位置と該遊端が前記回転軸の下方に位置する第２位置との間で回転可能な第２床部材と、
前記第１位置に向けて前記第２床部材を付勢する付勢手段とを備え、
前記第２床部材は、前記第１位置において上方から所定の荷重より大きい荷重を受けると前記第２位置に向かって回転し、前記第１位置よりも前記第２位置側に回転した第３位置において前記第１床部材と協働して前記飲料容器を保持可能であることを特徴とするカップホルダ。
【請求項２】
前記第２床部材は少なくとも一対備えられ、該一対の第２床部材の前記基端側の各々は、互いに対向する前記側壁に回転可能に支持されたことを特徴とする請求項１に記載のカップホルダ。
【請求項３】
前記一対の第２床部材の一方が前記第１位置から前記第２位置に向かって回転すると、前記一対の第２床部材の他方を前記第１位置から前記第２位置に向けて回転させるように、前記一対の第２床部材を互いに連動させる連動手段をさらに備えることを特徴とする請求項２に記載のカップホルダ。
【請求項４】
前記付勢手段は、前記第２床部材の前記回転軸に取り付けられたねじりコイルばねを備え、
前記ねじりコイルばねは、前記所定の荷重以下の荷重に抗して前記第２床部材を前記第１位置に維持する予負荷を前記第２床部材に与えていることを特徴とする請求項１〜請求項３のいずれか一項に記載のカップホルダ。
【請求項５】
前記第３位置で前記第２床部材を解除可能に固定する固定手段をさらに有することを特徴とする請求項１〜請求項４のいずれか一項に記載のカップホルダ。
【請求項６】
前記固定手段は、さらに、前記第２床部材を前記第３位置より前記第２位置側に回転させた第４位置で、前記第２床部材を解除可能に固定し、
前記固定手段は、前記第２床部材に取り付けられた係合部と前記第３位置及び前記第４位置で該係合部に係止可能な係止部材とを備え、該係止部材が前記第３位置で該係合部を係止すると、前記第２床部材が前記第１の位置側に回転することを規制するが、前記第２床部材が前記第４の位置側に回転することを規制しないことを特徴とする請求項５に記載のカップホルダ。
【請求項７】
前記固定手段は、前記ケースに取り付けられた操作ボタンをさらに備え、前記係止部材は、前記操作ボタンの操作によって前記係合部から離脱することを特徴とする請求項６に記載のカップホルダ。
【請求項８】
前記側壁の内面の少なくとも一部は、その上部がその下部に対して前記ケースの内側に張り出すように形成された段差を有し、
前記第２床部材の前記基端側は、前記段差の下側に配置され、
前記第２床部材は、前記第１位置において前記段差に突き当たり上方への回転が規制されることを特徴とする請求項１〜請求項７のいずれか一項に記載のカップホルダ。
【発明の詳細な説明】
【技術分野】
【０００１】
本発明は、カップホルダに関し、特に、容易に深さを変更することのできる車両搭載用のカップホルダに関する。
【背景技術】
【０００２】
飲料容器を収容保持するためのカップホルダが、自動車のコンソールボックスに設けられる場合がある。カップホルダは、一般的に、有底円筒型の凹部を備え、当該凹部に飲料容器（カップ）を収容する。しかし、近時においては、飲料は様々な形状や大きさの飲料容器に充填されて販売されている。そのため、底の浅いカップホルダに背の高い飲料容器を収容させると、シフト操作の際に飲料容器に運転者の肘が当たってしまうおそれがあった。一方、底の深いカップホルダに背の低い飲料容器を収容させると、飲料容器を取り出し難くなる。
【０００３】
このような観点から、飲料容器の大きさに合わせて、底の深さを変更できるカップホルダが提案されている（例えば、特許文献１）。特許文献１に記載のカップホルダ（小物入れ）は、ケースと、ケース内で回転するトレイとを備える。トレイを水平にすると、トレイの上面がカップホルダの底面となって底が浅くなり、トレイを上方に回転させると、ケースの底面が露出してカップホルダの底面となって底が深くなる。トレイは、上方に回転するように付勢されており、水平位置では解除可能にロックされる。このロックは、プッシュボタンの押し込み操作で解除される。
【先行技術文献】
【特許文献】
【０００４】
【特許文献１】特開２００６−４４５１６号公報
【発明の概要】
【発明が解決しようとする課題】
【０００５】
しかしながら、引用文献１に記載のカップホルダでは、飲料容器の幅の違いに対応するには、トレイとは別の手段が必要であり、部品点数を多くしなければならないという問題があった。また、トレイを上げてカップホルダの深さを深くすることは、プッシュボタンを押すだけで出来るものの、トレイを水平にしてカップホルダの深さを浅くするためには、使用者がトレイを手で倒す必要があり、その動作が煩わしいという問題があった。
【０００６】
本発明は、以上の問題を鑑みてなされたものであって、カップホルダの深さの変更と幅の調整を一体的に行え、カップホルダの深さを変更するための操作を容易に行えるカップホルダを提供することを目的とする。
【課題を解決するための手段】
【０００７】
上記課題を達成するために、本発明に係るカップホルダは、飲料容器を保持するためのカップホルダ（１）であって、上面に開口部（１３）が形成され、前記飲料容器の受容室（１８）を画定し、該受容室の下端に延在する第１床部材（１１）及び側壁（１２）を備えるケース（２）と、前記ケース内において、その基端側が前記側壁に回転可能に支持され、その遊端が回転軸の側方に位置する第１位置と該遊端が前記回転軸の下方に位置する第２位置との間で回転可能な第２床部材（３，４）と、前記第１位置に向けて前記第２床部材を付勢する付勢手段（８）とを備え、前記第２床部材は、前記第１位置において上方から所定の荷重より大きい荷重を受けると前記第２位置に向かって回転し、前記第１位置よりも前記第２位置側に回転した第３位置において前記第１床部材と協働して前記飲料容器を保持可能であることを特徴とする。
【０００８】
この構成によれば、飲料容器を上から押し付けることによって第２床部材を第１位置から第３位置へ回転させることが出来るため、飲料容器をカップホルダに収容させる動作と受容室の底を深くするための動作と、受容室の下部の幅を拡げる動作とが一体的に行われることとなり、操作が容易となる。また、飲料容器の側部を支持する第２床部材が変位するため、様々な径の飲料容器に対応できる。
【０００９】
上記の発明において、前記第２床部材は少なくとも一対備えられ、該一対の第２床部材の前記基端側の各々は、互いに対向する前記側壁に回転可能に支持されることが好ましい。
【００１０】
この構成によれば、第２床部材の格納高さを小さくすることができるため、２つの底の高さの差を小さくすることが出来るなど、設計の自由度が増す。
【００１１】
上記の発明において、前記一対の第２床部材の一方が前記第１位置から前記第２位置に向かって回転すると、前記一対の第２床部材の他方を前記第１位置から前記第２位置に向けて回転させるように、前記一対の第２床部材を互いに連動させる連動手段（７）をさらに備えることが好ましい。
【００１２】
この構成によれば、第２床部材を回転させるための荷重が、一対の第２床部材の一方に集中しても、他方も連動して回転するため、飲料容器を押し付けて第２床部材を回転させる場合でも、一対の第２床部材の双方が第２位置に向かって回転する。そのため、飲料容器は、第２床部材を回転させながら受容室にスムーズに挿入される。
【００１３】
上記の発明において、前記付勢手段は、前記第２床部材の回転軸に取り付けられたねじりコイルばね（２２）を備え、前記ねじりコイルばねは、前記所定の荷重以下の荷重に抗して前記第２床部材を前記第１位置に維持する予負荷を前記第２床部材に与えていることが好ましい。
【００１４】
この構成によれば、所定の大きさを超える荷重が第２床部材にかかっていないとき、少ない部品点数で第２床部材を第１位置に維持して、受容室の底の浅い状態を維持できる。
【００１５】
上記の発明において、前記第３位置で前記第２床部材を解除可能に固定する固定手段（９）をさらに有することが好ましい。
【００１６】
この構成によれば、受容室の底の深い状態を維持できる。そのため、背の高い飲料容器の出し入れを繰り返す場合に、飲料容器を収容させる度に力を加えて第２床部材を回転させる必要がなくなる。
【００１７】
上記の発明において、前記固定手段は、さらに、前記第２床部材を前記第３位置より前記第２位置側に回転させた第４位置で、前記第２床部材を解除可能に固定し、前記固定手段は、前記第２床部材に取り付けられた係合部と前記第３位置及び前記第４位置で該係合部（４１）に係止可能な係止部材（２５）とを備え、該係止部材が前記第３位置で該係合部を係止すると、前記第２床部材が前記第１の位置側に回転することを規制するが、前記第２床部材が前記第４の位置側に回転することを規制しないことが好ましい。
【００１８】
この構成によれば、受容室の底が深い状態において受容室の下部の幅を段階的に調整することが出来るため、飲料容器の幅が異なっても収容・保持できる。また、飲料容器の第２床部材への押し付け動作によって、受容室の幅が自然に適切な幅に調整される。
【００１９】
上記の発明において、前記固定手段は、前記ケースに取り付けられた操作ボタン（２３）をさらに備え、前記係止部材は、前記操作ボタンの操作によって前記係合部から離脱することが好ましい。
【００２０】
この構成によれば、受容室の底の深い状態から浅い状態への変更も容易に行うことが出来る。
【００２１】
上記の発明において、前記側壁の内面の少なくとも一部は、その上部がその下部に対して前記ケースの内側に張り出すように形成された段差（１６）を有し、前記第２床部材の前記基端側は、前記段差の下側に配置され、前記第２床部材は、前記第１位置において前記段差に突き当たり上方への回転が規制されることが好ましい。
【００２２】
この構成によれば、部品点数を増やすことなく、第１位置における第２床部材の回転の規制手段を提供することが出来る。
【図面の簡単な説明】
【００２３】
【図１】本発明の実施形態に係るカップホルダを示す全体斜視図である。
【図２】本発明の実施形態に係るカップホルダを示す部分拡大図である。
【図３】本発明の実施形態に係るカップホルダの第２床部材の連結構造を示す斜視図である。
【図４】本発明の実施形態に係るカップホルダの一対の第２床部材の一方を示す斜視図である。
【図５】本発明の実施形態に係るカップホルダの第２床部材の係合状態を示す断面図である。
【図６】本発明の実施形態に係るカップホルダの第２床部材が係合状態にあるときの、係止部材と操作ボタンとの関係を示す部分拡大図である。
【図７】本発明の実施形態に係るカップホルダの第２床部材の係合が解除された状態を示す断面図である。
【図８】本発明の実施形態に係るカップホルダの第２床部材の係合が解除された状態にあるときの、係止部材と操作ボタンとの関係を示す部分拡大図である。
【発明を実施するための形態】
【００２４】
以下、図面を参照して、本発明の一実施形態であるカップホルダ１について詳細に説明する。本実施形態に係るカップホルダ１は、自動車の運転席と助手席との間に車体の前後方向に延設されたコンソールボックスの前部に取り付けられる。以下の説明において、カップホルダ１の前後、左右及び上下の方向は自動車の前後、左右及び上下の方向と一致する。
【００２５】
図１は、本発明の実施形態に係るカップホルダ１を示す全体斜視図である。図２は、本実施形態に係るカップホルダ１を右後方から見た部分拡大図である。図１及び図２を参照して、本実施形態のカップホルダ１の概要を説明する。
【００２６】
図１を参照すると、カップホルダ１は、上下方向の中心軸周りに１８０°回転させると元の形状と略一致する対称性を備えた形状を呈する。カップホルダ１は、ケース２を備え、ケース２内で左右一対の第２床部材３，４が回転することによって底の深さが変化する。本実施形態では、前後方向の中央には略長方形形状の平板からなる仕切り壁５が取り付けられており、ケース２の内部の下部の空間が２つに仕切られている。仕切り壁５は、ケース２の側壁１２の内面に形成された溝に嵌めこまれることによってケース２に支持されている。この仕切られた２つの空間のそれぞれに、左右一対の第２床部材３，４が設けられている。図１では、カップホルダ１の前側が、底の浅い状態を示し、後側が底の深い状態を示している。仕切り壁５は、上方へと抜き出すことによって取り外し可能である。
【００２７】
図２を参照すると、カップホルダ１は、第２床部材３，４を回転可能に支持する回転軸部材６と、一対の第２床部材３，４を連動させる連動手段７と、一対の第２床部材３，４を底の浅い状態が形成される位置（第１位置）に付勢するための付勢手段８と、一対の第２床部材３，４を下方に回転した位置に解除可能に固定して底の深い状態を維持するための固定手段９と、一対の第２床部材３，４の移動速度を緩める回転ダンパ１０とをさらに備える。
【００２８】
次に、カップホルダ１の部材構造を個別に説明する。
【００２９】
図１を参照すると、ケース２は、略長方形の平板からなる第１床部材１１と、第１床部材１１の周縁から上方に向けて延設された側壁１２とを備え、上面は開口部１３となっている。側壁１２の上部の左右内面は、側壁１２の下部の左右内面に比べて、ケース２の内側に張り出しており、上部の下面は、ケース２の内部で第１床部材１１に対向する段差面１６（図５参照）を形成している。また、側壁１２には、段差面１６の下方の近接した位置で第２床部材３，４を回転可能に支持する回転軸部材６（図５参照）が形成されている。上部の内面と下部の内面との段差は、第２床部材３，４の厚さに略一致し、第２床部材３，４を第１床部材１１に垂直になるまで回転させたときは、上部の内面と第２床部材３，４の表面１７とが協働して、上下方向に滑らかな面を形成する。ケース２は、例えばＡＢＳ樹脂、ポリカーボネート樹脂、ＡＢＳ／ポリカーボネートアロイ等を射出成形することにより形成される。なお、樹脂を素材とする他の部材も同様に形成される。
【００３０】
図３及び図４を参照して一対の第２床部材３，４、連動手段７及び付勢手段８を説明する。一対の第２床部材３，４、連動手段７及び付勢手段８は、それぞれ、カップホルダ１の前後に１組ずつあるが（図１参照）、それらの構造は、上下方向の中心軸周りに１８０°回転すると一致し、機能も同様であるため、以下、図１において後方に位置するものについて説明する。図３は、ケース２を省略したカップホルダ１の部分拡大図である。図４は、第２床部材４の斜視図である。
【００３１】
一対の第２床部材３，４の各々は、樹脂を素材とし、略長方形を呈する平板状の部材である。第２床部材３，４の基端側が、ケース２の段差面１６に沿って配置された回転軸部材６に回転自在に支持されているため、第２床部材３，４は、その遊端が円弧を描くようにケース２内を回転（揺動）し、その回転範囲は、その遊端が回転軸の側方に位置して第２床部材３，４の表面１７が略水平になる第１位置と、その遊端が前記回転軸の下方に位置して第２床部材３，４の表面１７が略鉛直になる第２位置との間である。一対の第２床部材３，４は、その表面１７が水平になる第１位置まで回転させたとき、互いの遊端が近接しており、そのときの上面に当たる表面１７及び仕切り壁５の上面は滑らかな平面を形成し、飲料容器の受容室１８（図１参照）の浅い底を形成する。また、第２床部材３，４の遊端は、飲料容器への引っ掛かりを防止するため、丸みを帯びた形状になっている。第２床部材３，４の裏面は、肉抜き構造にしても良い。
【００３２】
一対の第２床部材３，４の内、一方の第２床部材３（図３の左側）の基端側の側面には、樹脂を素材とする扇形のギヤ１９がケース２の側壁１２の外側に配置されるように取り付けられている。ギヤ１９は、第２床部材３と同軸かつ一体に回転し、ケース２の外側に配置された回転ダンパ１０（図２参照）とかみ合っている。そのため、第２床部材３の回転力が回転ダンパ１０によって減衰する。回転ダンパ１０には、例えば粘性減衰式のオイルダンパが使用される。これにより、第２床部材３の回転は、回転ダンパ１０のダンパ作用のもとに、低速で行われる。
【００３３】
一対の第２床部材３，４を連動させる連動手段７は、リンクバー２０とリンクアーム２１とから構成される。
【００３４】
一対の第２床部材３，４の内、ギヤ１９が取り付けられていない方の第２床部材４（図３の右側）の基端側の側面には、樹脂を素材とするリンクバー２０がケース２の側壁１２の外側に配置されるように取り付けられている。リンクバー２０は、第２床部材４と一体に回転するように、一端側が第２床部材４の基端側の側面に取り付けられ、後方（図３の紙面左手前）から見たときに、回転軸を中心に第２床部材４に対して右回りに（上側に）所定の角度だけ回転した位置で固定されている。
【００３５】
リンクアーム２１は、樹脂を素材とする棒状の成形品である。リンクアーム２１は、リンクバー２０及びギヤ１９のそれぞれに対して回転自在になるように、一端がリンクバー２０の他端と連結しており、他端がギヤ１９に連結している。リンクアーム２１の他端がギヤ１９に連結する位置は、ギヤ１９の回転軸からリンクバー２０の長さと同程度の距離だけ離れた位置であって、後方から見たときに、回転軸を中心に第２床部材３に対して右回りに所定の角度だけ回転した位置である。このように、リンクアーム２１が、回転自在に、リンクバー２０とギヤ１９とに連結しているため、一対の第２床部材３，４の一方を回転させると他方も回転し、両者の動きは概ね左右対称になる。
【００３６】
付勢手段８は、ねじりコイルばね２２を備える。ねじりコイルばね２２は、回転軸部材６を内包するように取り付けられており、一端が側壁１２に係止され、他端が第２床部材３，４に係止され、第２床部材３，４を、第２位置から第１位置に向かう回転方向に付勢している。側壁１２の段差面１６は、第２床部材３，４の上方への移動を規制するストッパとして機能する。具体的には、段差面１６は、第２床部材３，４の表面１７の基端側を係止することによって、第２床部材３，４が第１位置よりも上方に回転することを規制する。また、第２床部材３，４が第１位置にあるとき、ねじりコイルばね２２は、第２床部材３，４を段差面１６に押し付けるように予負荷をかけている。この予負荷によって第２床部材３，４に生じるモーメントに対して、逆向きで同じ大きさのモーメントは、第２床部材３，４に対して上方からの所定の荷重（位置に応じた力の大きさ）を加えることによって生じさせることが出来る。第２床部材３，４に対する外部かつ上方からの荷重がこの所定の荷重以下であれば、第２床部材３，４は回転せず、第１位置に維持される。ねじりコイルばね２２は、ばね定数が小さく、長さが長いほうが好ましい。ばね定数を小さくすることによって、第２床部材３，４をばね力に抗して押し下げるための力が、押し下げるにつれて大きく上昇することを防止できる。また、長さを長くすることによって、ねじりコイルばね２２の変位を大きくとることができ、ばね定数が小さくとも、大きな予負荷を第２床部材４に与えることが出来る。本実施形態では、ねじりコイルばね２２の長さは、第２床部材３，４の基端側の前後方向長さに略一致する。
【００３７】
次に、図５〜図８を参照して、固定手段９について説明する。固定手段９は、一方の第２床部材４を第１位置と第２位置との間の所定の位置（第３位置〜第５位置）で解除可能に固定して、受容室１８の底を深い状態に維持するための手段である。一方の第２床部材４が固定されたとき、その第２床部材４と連動手段７によって連結されている他方の第２床部材３も固定される。固定手段９は、操作ボタン２３、操作ボタン用ばね２４、係止部材２５、係止部材用ばね２６、係合片２７とから構成される。図５は、第２床部材４の係合状態を示す断面図であり、図６は、第２床部材４が係合状態にあるときの、操作ボタン２３と係止部材２５との関係を示す部分拡大図である。図７は、第２床部材４の係合が解除された状態を示す断面図であり、図８は、第２床部材４の係合が解除された状態にあるときの、操作ボタン２３と係止部材２５との関係を示す部分拡大図である。
【００３８】
操作ボタン２３は、樹脂からなり、第２床部材４が配置された側壁１２の上部に配置される。操作ボタン２３が配置される側壁１２の上部には、凹部２８が設けられており、操作ボタン２３は、凹部２８に収容されて、凹部２８周辺の側壁１２に直交する方向に摺動可能である。操作ボタン２３の摺動可能範囲の両端は、それぞれ、操作ボタン２３の一部と凹部２８の一部とが当接し、それ以上の移動が規制される位置である。操作ボタン２３のケース２の内面側への移動は、操作ボタン２３のボタン表面２９と、凹部２８周辺の側壁１２の内面とが同一平面を形成する位置で規制される。操作ボタン２３の裏面には、三角柱形状のカム３０が形成されている。カム３０は、その三角形の底面が水平面及び凹部２８周辺の側壁１２の内面に直交するように配置され、３つの側面の内１つが操作ボタン２３の本体の裏面と結合しており、残る側面の内の上側側面３１が、下方に向かうに従ってケース２の外側に向かうように傾斜している。
【００３９】
操作ボタン用ばね２４は、圧縮コイルばねからなり、凹部２８に取り付けられて、操作ボタン２３をケース２の内側方向に付勢している。
【００４０】
係止部材２５は、樹脂を素材とし、ケース２の側壁１２の外側に配置され、前後及び左右方向への移動は規制されているが、操作ボタン２３の操作に応じて所定の範囲で上下に移動する部材である。係止部材２５は、略上下に延在する係止部材本体３２と、上端側の摺動突起３３と、下端側の係止突起３４とを備える。係止部材本体３２は、上下に延在する棒状の上部と上下に延在する棒状の下部との間に、略水平な上面を備えた肩部３５を備える。肩部３５には、後述の係止部材用ばね２６の下端が取り付けられる。また、係止部材本体３２の下端部には、下部から左方（ケース２の内側方向）に向けて延出する係止部３６が形成されている。係止部３６の下面は、背面視で第２床部材４の回転軸を中心とする円弧となっている。係止部３６の先端は、側壁１２の下部に設けられた貫通孔３７から、ケース２の内部に挿入されている。係止部３６の先端側の下面には、背面視で直角三角形を呈する三角柱形状の係止突起３４が形成されている。この直角三角形の上側の一辺が係止部３６の円弧の一部であり、右側の一辺が鉛直方向に延び、左下の斜辺がケース２の内側（左方）に向かうにつれて上方に向かうように傾斜している。すなわち、係止突起３４は、右側に係止面を備え、左側に傾斜面を有している。
【００４１】
係止部材本体３２の上端側には、後方、すなわち水平かつ側壁１２の内面に平行な方向に突出した摺動突起３３が結合しており、摺動突起３３はカム３０の上側側面３１に摺動する。操作ボタン２３を押し込むとカム３０がケース２の外側に向かって動くため、摺動突起３３は、カム３０の上側側面３１上を右下から左上に向けて摺動するように、上昇する。
【００４２】
係止部材用ばね２６は、圧縮コイルばねからなり、その上端がケース２の側壁１２の外側に固定され、その下端が肩部３５の上面に固定されて、係止部材２５を下方に向けて付勢している。
【００４３】
係合片２７は、樹脂を素材とする成形品であり、主板３９と主板３９の前後の縁から延出するリブ４０とを備える（図３参照）。主板３９は、一端が第２床部材４の遊端側裏面に取り付けられており、他端が遊端になっており、背面視で第２床部材４の回転軸を中心とする円弧状を呈している。主板３９の遊端は、第２床部材４の回転に伴って、ケース２の側壁１２の貫通孔３７からケース２の外側に出没する。主板３９は、第２床部材４が第２位置にあるとき、係止部材２５の下端側の係止部３６の下方に近接して位置する。主板３９には、その主面に直交するように貫通する孔からなる係合部４１が円弧を形成する方向に３つ並んで形成されている。係止突起３４が、いずれかの係合部４１と係合すると、係止突起３４の右側の係止面が係合部４１の貫通孔の右内面を係止し、ねじりコイルばね２２の付勢力に抗して、第２床部材４の第１位置方向への回転を規制する。一方、第２位置方向への回転は、係止突起３４の左側の傾斜面が係合部４１の貫通孔の左上の縁を摺動して係合を解除するように係止部材２５を上昇させるため、規制されない。係合部４１の各々が係止突起３４に係合したとき、一対の第２床部材３，４は固定される。遊端側、中央及び基端側の係合部４１の各々が係止突起３４に係合する位置を、第３位置、第４位置及び第５位置とすると、第３〜第５位置は、第１位置と第２位置との間にあり、第３位置よりも第４位置が、第４位置よりも第５位置が、第２位置に近くなり、一対の第２床部材３，４の遊端間の距離が広がる。また、操作ボタン２３を押し込むと係止部材２５が上昇するため、係止突起３４と係合部４１との係合が解除される。
【００４４】
次に、本実施形態の使用方法について説明する。
【００４５】
前後２組の第２床部材３，４がともに第１位置にあるとき、２組の第２床部材３，４の表面１７と仕切り壁５の上面とが協働して略平坦な水平面を形成する。これにより、カップホルダ１は、背の低い飲料容器を２〜３個収容することができる。また、このとき、カップホルダ１を飲料容器以外の小物を収容する小物入れとして使用出来る。
【００４６】
例えば、約５００ｍＬの飲料を収容できるペットボトルのような背の高い飲料容器をカップホルダ１に収容・保持させたいときは、ペットボトルの底を一対の第２床部材３，４に押し付けるようにペットボトルに力を加える。すると、ねじりコイルばね２２の付勢力に逆らう向きに、一対の第２床部材３，４に力が加わり、ねじりコイルばね２２の付勢力によるモーメントよりもペットボトルから第２床部材３，４へ加えられる力によって生じるモーメントが大きくなると、一対の第２床部材３，４が開くように、各々の第２床部材３，４が第２位置に向かって回転する。一対の第２床部材３，４の一方にペットボトルからの力が集中したとしても、連動手段７によって、一対の第２床部材３，４は連動しているため、一対の第２床部材３，４は、概ね左右対称に回転する。そのため、容器をスムーズに挿入することが出来る。そして、そのまま、ペットボトルを押し込むと、一対の第２床部材３，４がペットボトルの底が第１床部材１１に当接する。このとき、ペットボトルは、第１床部材１１に下から支持され、第２床部材３，４に左右から挟持される。車両が大きく振動するおそれのある路面を走行する場合は、この位置でペットボトルを保持しても良い。
【００４７】
また、この状態から、ペットボトルをわずかに左右に動かすと、第３〜第５位置のいずれかで、係止部材２５と係合部４１とが係合し、一対の第２床部材３，４の遊端間の距離が、ペットボトルの左右方向幅よりもわずかに広い状態で一対の第２床部材３，４が固定される。係合部４１が３つあることで、幅の異なる飲料容器を収容・保持することができる。このとき、ペットボトルは、第１床部材１１によって下から支持され、一対の第２床部材３，４によって左右方向の移動が所定の範囲内に規制され、仕切り壁５及び側壁１２によって前後方向の移動が所定の範囲内に規制される。この状態は、車両の揺れが小さい場合に適し、また、底に対して胴体部がくびれた形状のペットボトルを取り出しやすくする。このように、カップホルダ１は、底を深くすることが出来るとともに、左右方向の幅の調節も同時に行うことが出来る。カップホルダ１は、飲料容器の背の高さに応じて、運転操作時に運転手の肘等が飲料容器にぶつからず、かつ取り出しやすい位置に底の深さを調整することが出来る。カップホルダ１は、前後２組の第２床部材３，４の一方のみを第２位置に向けて回転させて、１つの背の高い飲料容器と１つの背の低い飲料容器とを保持させてもよく、両方を回転させて２つの背の高い飲料容器を保持させてもよい。また、カップホルダ１は、２組の第２床部材３，４の双方を第３〜第５位置に固定し、仕切り壁５を取り外すと、底の深い小物入れとして使用出来る。
【００４８】
また、操作ボタン２３を押し込むという簡易な操作によって、第２床部材３，４が第１位置まで回転し、受容室１８の底が浅い状態に戻すことが出来る。
【００４９】
以上で具体的実施形態の説明を終えるが、本発明は上記実施形態に限定されることなく幅広く変形実施することができる。係合部４１の数、すなわち一対の第２床部材３，４の解除可能な固定位置の数を、３つに限らず、１つ、２つまたは４つ以上としてもよい。また、係合片２７と係止部材２５との係合は、凹凸やラチェットでもよい。また、本実施形態では、第１床部材１１はケース２の底壁であるが、底壁とは別の部材でもよい。また、側壁１２の上部から、ケース２内部に出没可能な仕切り板を設けても良い。１つ又は２つの仕切り板を設けると、底の浅い状態で飲料容器の前後方向への移動を規制することができる。例えば、仕切り板は、側壁１２内に設けられて鉛直方向に延在する回転軸に回転可能に支持され、側壁１２内部に没入した位置と、側壁１２に対して９０°の角度で突出した位置との間を回転し、操作ボタン２３の押し込みによって突出位置まで回転するようにしても良い。
【符号の説明】
【００５０】
１・・・カップホルダ、２・・・ケース、３，４・・・第２床部材、７・・・連動手段、８・・・付勢手段、９・・・固定手段、１１・・・第１床部材、１２・・・側壁、１６・・・段差面、１８・・・受容室、１９・・・ギヤ、２０・・・リンクバー、２１・・・リンクアーム、２２・・・ねじりコイルばね、２３・・・操作ボタン、２５・・・係止部材、２７・・・係合片、３０・・・カム、３３・・・摺動突起、３４・・・係止突起、３６・・・係止部、４１・・・係合部
【図１】
2015037921.tif 000003
【図２】
2015037921.tif 000004
【図３】
2015037921.tif 000005
【図４】
2015037921.tif 000006
【図５】
2015037921.tif 000007
【図６】
2015037921.tif 000008
【図７】
2015037921.tif 000009
【図８】
2015037921.tif 000010